(57)【特許請求の範囲】
【請求項１】
原子炉圧力容器と炉心シュラウドの間のダウンカマ部の上方であって、シュラウドヘッドの上部にかつ気水分離器スタンドパイプ群を取り囲むように、復水器から還流されるサブクール水を噴出する原子炉給水スパージャを原子炉圧力容器内に周方向に設け、
この原子炉給水スパージャは、原子炉圧力容器内に配設される弧状の複数のヘッダ配管と、このヘッダ配管に前記ダウンカマ部に向けて下向きに所定の間隔で設置された複数のスパージャノズルとを有し、
前記原子炉給水スパージャは、垂直下向きのスパージャノズルと、この垂直下向きから原子炉内側に所要の角度を付けた斜め下向きのスパージャノズルと、上記垂直下向きから原子炉外側に所要の角度を付けた斜め下向きのスパージャノズルとから組を構成し、複数組のスパージャノズルがヘッダ配管の軸方向に所要のピッチ間隔に配設されたことを特徴とする原子炉給水装置。
【請求項２】
原子炉圧力容器と炉心シュラウドの間のダウンカマ部の上方であって、シュラウドヘッドの上部にかつ気水分離器スタンドパイプ群を取り囲むように、復水器から還流されるサブクール水を噴出する原子炉給水スパージャを原子炉圧力容器内に周方向に設け、
この原子炉給水スパージャは、原子炉圧力容器内に配設される弧状の複数のヘッダ配管と、このヘッダ配管に前記ダウンカマ部に向けて下向きに所定の間隔で設置された複数のスパージャノズルとを有し、
前記原子炉給水スパージャのヘッダ配管に下向きに設けられる複数のスパージャノズルは、ノズルヘッドにプレート状端部を備え、上記ノズルヘッドに複数のノズル孔を穿設し、各ノズル孔から噴射されるサブクール水が指向性をもって噴出されるように構成したことを特徴とする原子炉給水装置。
【請求項３】
原子炉圧力容器と炉心シュラウドの間のダウンカマ部の上方であって、シュラウドヘッドの上部にかつ気水分離器スタンドパイプ群を取り囲むように、復水器から還流されるサブクール水を噴出する原子炉給水スパージャを原子炉圧力容器内に周方向に設け、
この原子炉給水スパージャは、原子炉圧力容器内に配設される弧状の複数のヘッダ配管と、このヘッダ配管に前記ダウンカマ部に向けて下向きに所定の間隔で設置された複数のスパージャノズルとを有し、
前記原子炉給水スパージャのヘッダ配管に下向きに設けられる複数のスパージャノズルに半球状あるいは円弧状のノズルヘッドを備え、上記ノズルヘッドに複数のノズル孔が穿設され、上記各ノズル孔から噴出されるサブクール水が円錐状に拡がるように構成されたことを特徴とする原子炉給水装置。
【発明の詳細な説明】
【技術分野】
【０００１】
本発明は、自然循環型原子炉に適用される原子炉給水技術に係り、特に、原子炉炉心に供給される給水の温度分布を均一化させた原子炉給水装置に関する。
【背景技術】
【０００２】
沸騰水型原子炉では、蒸気タービンで使用した蒸気を復水器にて凝縮し、その復水を原子炉復水・給水系の給水ポンプを介して原子炉内に戻している。原子炉内には、給水を原子炉内で気水分離された炉水（飽和水）と均一に混合させるために、原子炉給水スパージャが設けられる。この原子炉給水スパージャを備えた原子炉給水装置が、特開平８−９４７８７号公報（特許文献１）に開示されている。
【０００３】
この原子炉給水装置では、図９に示すように、原子炉圧力容器１内のダウンカマ部２の上方に原子炉給水スパージャ３が複数系統設けられる。この原子炉給水スパージャ３は、半円弧状ヘッダ配管４とこのヘッダ配管４上に所定のピッチで設けられたエルボ型のスパージャノズル５とを有し、各スパージャノズル５から図１０に示すように、原子炉圧力容器１内の半径方向内方に給水を噴出させている。ヘッダ配管４は原子炉圧力容器１の内周壁に沿って周方向に配設される。
【０００４】
各スパージャノズル５からの給水の噴出により、この給水を、気水分離器６で気液分離された炉水（循環水）と混合させてダウンカマ部２に導き、このダウンカマ部２から原子炉内再循環ポンプ７により炉水下部プレナム８に案内している。この炉心下部プレナム８ではダウンカマ流が反転して炉心シュラウド９内に形成された炉心に、強制的に案内している。原子炉内再循環ポンプ７は原子炉圧力容器１内のダウンカマ部２に数台から１０数台、例えば１０台周方向に沿って設けられる。
【０００５】
原子炉給水スパージャ３は、原子炉圧力容器１の水平断面に複数のスパージャノズル５が設置され、各スパージャノズル５のノズル口は水平断面において原子炉内側に水平方向を向き、水平断面においてスパージャノズル５から噴出される給水（サブクール水）が気水分離された水と均一に混合されるように配分されている。
【０００６】
しかし、気水分離器６は、シュラウドヘッド９ａに林立された気水分離器スタントパイプ６ａに保持されており、多数のスタンドパイプ６ａが存在する。多数の気水分離器スタンドパイプ６ａの影響や原子炉内の炉水流動の影響から気水分離器６から排出された飽和水と給水スパージャ３から噴射されるサブリーク水（給水）は完全に均一に混合しない。
【０００７】
原子炉圧力容器１内に原子炉内再循環ポンプ７を備えた強制循環型原子炉では、炉水は原子炉内再循環ポンプ７のポンプ運転により、原子炉圧力容器１内を強制的に循環される。
【０００８】
原子炉圧力容器１外に原子炉再循環系を備え、原子炉圧力容器１内のダウンカマ部にジェットポンプを備えた強制循環型原子炉においても、炉水は、原子炉再循環ポンプおよびジェットポンプにより、原子炉圧力容器内を強制的に循環せしめられる。
【０００９】
強制循環型原子炉では、炉水が原子炉圧力容器１内を強制的に循環せしめられるため、強制循環する間にある程度撹拌され、炉水の温度分布の均一性は保たれる。
【００１０】
しかし、自然循環型原子炉では、炉心入口手前で原子炉内再循環ポンプ７やジェットポンプのように、強制的に炉水を混合させる強制循環装置が存在しない。このため、自然循環型原子炉は、従来の強制循環型原子炉に比べ、図１１に示すように、炉心周方向（原子炉圧力容器内の周方向）に大きな構造の温度分布が生じる。
【００１１】
大きな構造の温度分布とは、温度の高い流体（炉水）の流れＦｈが比較的大きな領域で存在する一方、温度の高い流体流れａに隣接して温度の低い流体の流れＦＬが比較的大きな領域で存在することをいう。このため、炉心周方向の温度分布に大きなばらつきが生じる。
【特許文献１】特開平８−９４７８７号公報
【発明の開示】
【発明が解決しようとする課題】
【００１２】
自然循環型原子炉では、原子炉給水スパージャから給水を炉心中央部に向けて水平方向に噴射させると、気水分離器スタンドパイプの障害物等の影響により、原子炉内周方向に大きな構造の温度分布が生じる。
【００１３】
温度分布が大きな場合には、真の炉心入口温度からの温度偏差が大きくなるために、炉心流量測定精度が低下し、炉出力を正確に測定することが困難となる。
【００１４】
また、温度分布が大きな場合には、炉心（燃料）入口における炉水のサブクール度に差（ばらつき）が生じるために、原子炉燃料の限界熱流束のばらつきが大きくなるという課題があった。
【００１５】
本発明は上述した事情を考慮してなされたもので、自然循環型原子炉の場合に、強制循環装置を用いることなく、炉心入口における炉水温度分布を均一化させ、炉心流量や炉出力を正確に精度よく測定することができる原子炉給水装置を提供することを目的とする。
【００１６】
本発明の他の目的は、炉心入口における炉水のサブクール度を略一定にし、原子炉燃料の限界熱流束のばらつきを少なくした原子炉給水装置を提供するにある。
【課題を解決するための手段】
【００１７】
本発明に係る原子炉給水装置は、上述した課題を解決するために、請求項１に記載したように、原子炉圧力容器と炉心シュラウドの間のダウンカマ部の上方であって、シュラウドヘッドの上部にかつ気水分離器スタンドパイプ群を取り囲むように、復水器から還流されるサブクール水を噴出する原子炉給水スパージャを原子炉圧力容器内に周方向に設け、この原子炉給水スパージャは、原子炉圧力容器内に配設される弧状の複数のヘッダ配管と、このヘッダ配管に前記ダウンカマ部に向けて下向きに所定の間隔で設置された複数のスパージャノズルとを有し、前記原子炉給水スパージャは、垂直下向きのスパージャノズルと、この垂直下向きから原子炉内側に所要の角度を付けた斜め下向きのスパージャノズルと、上記垂直下向きから原子炉外側に所要の角度を付けた斜め下向きのスパージャノズルとから組を構成し、複数組のスパージャノズルがヘッダ配管の軸方向に所要のピッチ間隔に配設されたものである。
また、本発明に係る原子炉給水装置は、請求項２に記載したように、原子炉圧力容器と炉心シュラウドの間のダウンカマ部の上方であって、シュラウドヘッドの上部にかつ気水分離器スタンドパイプ群を取り囲むように、復水器から還流されるサブクール水を噴出する原子炉給水スパージャを原子炉圧力容器内に周方向に設け、この原子炉給水スパージャは、原子炉圧力容器内に配設される弧状の複数のヘッダ配管と、このヘッダ配管に前記ダウンカマ部に向けて下向きに所定の間隔で設置された複数のスパージャノズルとを有し、前記原子炉給水スパージャのヘッダ配管に下向きに設けられる複数のスパージャノズルは、ノズルヘッドにプレート状端部を備え、上記ノズルヘッドに複数のノズル孔を穿設し、各ノズル孔から噴射されるサブクール水が指向性をもって噴出されるように構成したものである。
さらに、本発明に係る原子炉給水装置は、請求項３に記載したように、原子炉圧力容器と炉心シュラウドの間のダウンカマ部の上方であって、シュラウドヘッドの上部にかつ気水分離器スタンドパイプ群を取り囲むように、復水器から還流されるサブクール水を噴出する原子炉給水スパージャを原子炉圧力容器内に周方向に設け、この原子炉給水スパージャは、原子炉圧力容器内に配設される弧状の複数のヘッダ配管と、このヘッダ配管に前記ダウンカマ部に向けて下向きに所定の間隔で設置された複数のスパージャノズルとを有し、前記原子炉給水スパージャのヘッダ配管に下向きに設けられる複数のスパージャノズルに半球状あるいは円弧状のノズルヘッドを備え、上記ノズルヘッドに複数のノズル孔が穿設され、上記各ノズル孔から噴出されるサブクール水が円錐状に拡がるように構成されたものである。
【発明の効果】
【００２０】
本発明に係る原子炉給水装置は、原子炉給水スパージャから噴出されるサブクール水が気水分離器からの飽和水を巻き込んで撹拌され、ダウンカマ部での炉水の混合が促進され、大きな構造の温度分布をもつ流れが無くなることにより、炉心入口における温度分布が均一となる。炉心入口における温度分布が均一となることにより炉心流量を正確に精度よく測定でき、炉出力を安定的かつ正確に測定できる一方、燃料入口における冷却材（炉水）のエンタルピが均一となることで、各燃料バンドルの熱的余裕が均一になり燃料健全性を確保し易くなる。
【発明を実施するための最良の形態】
【００２１】
本発明に係る原子炉給水装置の実施の形態について添付図面を参照して説明する。
【００２２】
［第１実施形態］
図１は、本発明に係る原子炉給水装置の第１実施形態を簡略的に示す構成図である。この原子炉給水装置は、原子炉圧力容器内に原子炉内再循環ポンプやジェットポンプを備えない自然循環型原子炉１０に適用される。
【００２３】
この原子炉１０は、原子炉圧力容器１１内に炉心シュラウド１２が設けられており、この炉心シュラウド１２内に原子炉炉心（図示せず）が収容される。炉心シュラウド１２の頂部にはシュラウドヘッド１３が覆設され、このシュラウドヘッド１３に多数の気水分離器スタンドパイプ１４が植設されており、これらのスタンドパイプ１４に気水分離器１５が保持される。気水分離器１５の上方に蒸気乾燥器（図示せず）が設置される。
【００２４】
原子炉圧力容器１１と炉心シュラウド１２との間にスリーブ状の環状流路がダウンカマ部１７として形成され、このダウンカマ部１７の上方に原子炉給水スパージャ１８が設けられる。原子炉給水スパージャ１８は原子炉圧力容器１１内の周方向に沿って水平方向に配設される。原子炉給水スパージャ１８は、気水分離器スタンドパイプ１４群の外周側に設置され、気水分離器スタンドパイプ１４群を取り囲んでいる。
【００２５】
原子炉給水スパージャ１８は、原子炉復水・給水系の給水配管（図示せず）に直接あるいは給水ヘッダ配管（図示せず）を介して接続される。原子炉給水スパージャ１８は、弧状、半円弧状あるいはリング状をなすヘッダ配管２０と、このヘッダ配管２０に所定のピッチで設けられた複数のスパージャノズル２１とを有する。スパージャノズル２１のノズル口は、ダウンカマ部１７に向けて設けられ、垂直下方向に向くように配設される。
【００２６】
原子炉給水スパージャ１８は、原子炉圧力容器１１と炉心シュラウド１２の間のダウンカマ部１７の上方に、原子炉圧力容器１１の周方向に沿って水平方向に複数設置される。
【００２７】
原子炉給水スパージャ１８を構成するスパージャノズル２１は、内径が３０〜５０ｍｍφに形成され、スパージャノズル２１の個数は、原子炉定格運転時におけるノズル出口平均流速が１２〜１８ｍ／ｓｅｃとなるように選定される。
【００２８】
スパージャノズル２１のノズル出口（ノズル口）からシュラウドヘッド１３外周部までの高低差Ｈは、例えばノズル内径を基準とし、ノズル出口平均流速を考慮して設定される。
【００２９】
スパージャノズル２１のノズル出口からシュラウドヘッド１３の外周部までの高低差Ｈは、例えば、
１）ノズル出口平均流速１２ｍ／ｓｅｃ以上、１３．５ｍ／ｓｅｃ未満では、ノズル内径の８倍の距離以下に、
２）ノズル出口平均流速１３．５ｍ／ｓｅｃ以上、１５ｍ／ｓｅｃ未満では、ノズル内径の９倍の距離以下に、
３）ノズル出口平均流速１５ｍ／ｓｅｃ以上、１６．５ｍ／ｓｅｃ未満では、ノズル内径の１０倍の距離以下に、
４）ノズル出口平均流速１６．５ｍ／ｓｅｃ以上、１８ｍ／ｓｅｃ未満では、ノズル内径の１１倍の距離以下に、
５）ノズル出口平均流速１８ｍ／ｓｅｃでは、ノズル内径の１２倍の距離以下
となるように設定される。
【００３０】
原子炉給水スパージャ１８は、スパージャノズル２１からシュラウドヘッド１３の外周部までの高低差Ｈがノズル内径とノズル出口平均流速から選定される。
【００３１】
次に、本発明に係る原子炉給水装置の作用を説明する。
【００３２】
この原子炉給水装置は、原子炉給水スパージャ１８を原子炉圧力容器の内周方向に沿って配設しており、原子炉給水スパージャ１８のスパージャノズル２１から所要の噴出速度でノズル出口流速が周方向に沿って略均一となるように、下向きにサブクール水（給水）を噴射させる。
【００３３】
各スパージャノズル２１のノズル口からサブクール水をダウンカマ部１７に向けて垂直下向きに噴出させることにより、噴出方向の向きがダウンカマ流の方向を向く一方、噴出が周辺の炉水を巻き込んで複数の下向きのジェット流を生成する。このジェット流により、気水分離器１５から気水分離させ飽和水（炉水）との混合を促進させることができ、ダウンカマ流全体が充分均一に混合される。このため、ダウンカマ部１７を流下する炉水は、周方向の温度分布が均一なダウンカマ流となって図示しない炉心下部プレナムに案内される。
【００３４】
ダウンカマ流は、炉心下部プレナムで流れを反転させて炉心シュラウド１２内下部の炉心入口に導かれ、炉心を通る間に加熱作用を受けて気液二相流となる。この気液二相流は気水分離器スタンドパイプ１４を通って気水分離器１５に導かれ、この気水分離器１５で気水分離される。
【００３５】
気水分離器１５で気水分離された蒸気分は、蒸気乾燥器（図示せず）で乾燥され、乾き蒸気となって原子炉主蒸気系を通って蒸気タービンに送られ、仕事をする。蒸気タービンで仕事をした蒸気は、復水器で凝縮され、復水となって２系統ある原子炉給水・復水系を通って原子炉圧力容器１１内に還流される。原子炉給水・復水系を通った給水は、原子炉圧力容器１１内の原子炉給水スパージャ１８からダウンカマ部１７に向けて垂直下方向に噴出され、気水分離器１５で気水分離された飽和水と混合せしめられる。
【００３６】
その際、原子炉給水スパージャ１８は、垂直下向きのスパージャノズル２１からダウンカマ流れの方向にサブクール水（給水）を噴出させることにより、下向きの噴射流が周囲の炉水を巻き込んでジェット流となり、ダウンカマ流（下降流）となるので、気水分離器１５で気水分離された飽和水（炉水）との混合が促進され、ダウンカマ部１７において原子炉周方向に均一な温度分布の下降流となる。
【００３７】
この実施形態に示された原子炉給水装置では、原子炉給水スパージャ１８の各スパージャノズル２１から下向きに噴出される噴出流により、ダウンカマ部１７を流れるダウンカマ流は、周方向の温度分布が均一でばらつきのない流れとなる。
【００３８】
このため、気水分離器１５で気水分離された飽和水と原子炉給水スパージャ１８からの噴出流との撹拌が促進されてダウンカマ部１７を下降する過程で温度分布にばらつきのないあるいは少ないダウンカマ流となって炉心下部プレナムから炉心入口に案内される。
【００３９】
自然循環型原子炉１０では、炉心入口温度分布を均一化するためには、炉心入口上流側のダウンカマ部１７の流れの温度分布を可能な限り均一にする必要がある。この原子炉給水装置では各スパージャノズル２１から下向きに噴射する原子炉給水スパージャ１８を備えることにより、強制循環型原子炉のように、原子炉内循環ポンプ（インターナルポンプ）やジェットポンプの強制循環装置を備えなくても、原子炉炉水に供給される給水の温度分布のばらつきを防止し、温度分布を均一化させることができる。
【００４０】
自然循環型原子炉１０では定常状態における炉心流量は、原子炉全体における炉心を出入りする（通る）熱媒体（冷却材である水）の質量バランスとエネルギバランスから炉心流量を算出するヒートバランス法により求められる。ヒートバランス法を利用した炉心流量計測手段では、炉心入口部における炉水温度（プロセス量）を測定し、測定温度の平均値から炉心入口エンタルピの平均値を求める必要がある。
【００４１】
この原子炉給水装置では、原子炉炉心の炉心入口に案内される炉水の温度分布が略一定となり、温度分布のばらつきのないあるいは少ない状態で炉心入口エンタルピを正確にかつ容易に求めることができる。
【００４２】
炉心入口の炉水温度分布のばらつきが大きい場合には、ある有限点数の温度測定では、真の炉心入口温度からの温度偏差が大きくなるために、炉心流量測定精度が低下するが、この原子炉給水装置では炉心入口における炉水温度分布が略均一であるために、炉心流量測定精度を向上させることができる。
【００４３】
炉心入口における炉水温度分布が大きな場合には、炉心燃料入口における炉水のサブクール度に差が生じるために、原子炉燃料の限界熱流束のばらつきが大きくなるという問題が生じるが、この原子炉給水装置では、炉心入口における炉水温度分布を略一定とすることができるので、原子炉燃料の限界熱流束のばらつきが大きくなることがない。
【００４４】
図１に示された原子炉給水装置では、ダウンカマ部１７での炉水の混合が促進され、大きな構造の温度分布をもつ流れが無くなることにより、炉心入口における温度分布が均一となる。大きな構造の温度分布とは、温度の高い流体の流れ領域と温度の低い流体の流れ領域とが隣接して比較的大きな領域で存在することをいう。小さな構造の温度分布を持つ流れは残る可能性はあるが、原子炉周方向における何点かの温度測定の平均により測定誤差の小さい炉心入口平均温度の推定は可能となる。
【００４５】
また、この原子炉給水装置では、炉心入口における温度分布が均一になることにより炉心燃料入口における冷却材（炉水）のエンタルピが均一となり、各燃料バンドルの熱的余裕が均一となることで燃料健全性を確保し易くなる。
【００４６】
自然循環型原子炉１０に、図１に示された原子炉給水装置を備えることにより、自然循環型原子炉１０の起動時における炉水の流動不安定の軽減効果を奏することができ、原子力発電プラント定期検査時の燃料交換作業における原子炉停止時冷却運転モード切替が不要となる。
【００４７】
自然循環型原子炉では起動時炉圧が低い（０．５ＭＰａ以下）ときの流動不安定性の要因の１つが炉心を出てチムニー部を上昇する気液二相流がチムニーおよびスタンドパイプ１４のところで、炉心シュラウド外の給水によるサブクール水により再凝縮されることにある。
【００４８】
本実施形態の原子炉給水装置によれば、原子炉給水スパージャ１８からの給水はスタンドパイプ１４を直接冷やさずに炉心シュラウド１７側壁のアニュラス部であるダウンカマ部１７を下向きに流れるため、この起動時の炉心出口気液二相流の再凝縮による流動不安定性の要因を軽減できる。
【００４９】
また、通常、停止時冷却系の戻り配管は、原子炉圧力容器（ＲＰＶ）１１につながるスパージャノズル数低減の観点から、出来る範囲で給水に戻すことになっている。例えば最新の沸騰水型原子炉（ＢＷＲ）では、停止時冷却系と低圧炉心注水系が共用化されていて全部で３系統ある。１系統は給水に、他の２系統は専用の原子炉圧力容器（ＲＰＶ）ノズルと原子炉給水スパージャ１８に接続されている。例えば、停止時冷却系専用系ならば２系統は給水につなぐことができる。
【００５０】
従来のように給水スパージャのスパージャノズル（停止時冷却系の戻りスパージャのスパージャノズルも同様）が炉心中心水平方向を向いていると、定検時に燃料交換作業を行う場合に停止時冷却系からの戻り水の流れにより燃料交換中に燃料のゆれが生じて交換作業が正常に行われない。このため現状の原子炉発電プラントではこの戻り先を、使用済み燃料プール又は原子炉ウェル側へ切り替えて、全体として炉心の循環が行われるようにしている。この原子炉給水装置によれば、停止時冷却水の戻りはシュラウド外アニュラス部の下向きに流れるために、停止時冷却系からの戻り水の切替操作及びその設備も不要になる。
【００５１】
［第１実施形態の変形例］
原子炉給水スパージャ１８Ａのヘッダ配管２０に設けられるスパージャノズル２１Ａは、図２に示すように複数のノズル孔２３を備えてもよい。また、図３に示すように、スパージャノズル２１Ｂの先端部に半球状あるいは円錐形状のノズルヘッド２５を設け、このノズルヘッド２５に複数のノズル孔２６を形成してもよい。
【００５２】
図２に示されたスパージャノズル２１はプレート状端板でノズルヘッド部２２を閉塞し、この端板であるノズルヘッド部２２に複数のノズル孔（ノズル口）２３を形成したものである。
【００５３】
この原子炉給水スパージャ１８Ａでは、スパージャノズル２１Ａを多孔ノズル構造とし、各ノズル孔２３から噴射される噴出水（サブクール水）は、指向性を持って噴射させることができる。
【００５４】
原子炉給水スパージャ１８Ａのスパージャノズル２１Ａを多孔ノズル構造として、各スパージャノズル２１Ａのノズル孔２３からサブクール水を噴出ことにより、小さい流れの中でサブクール水を均一に噴出させることができる。小さい流れの構造とは、温度の高い流体の流れ領域と温度の低い流体の流れ領域が隣接して比較的小さな領域で存在することをいい、流体流れの温度分布のばらつきが小さいことをいう。
【００５５】
また、図３に示された原子炉給水スパージャ１８Ｂのように、スパージャノズル２１Ｂの先端部に半球状あるいは円錐形状のノズルヘッド２５を設け、このノズルヘッド２５に複数のノズル孔２６を形成した多孔ノズル構造では、各ノズル孔２６から放射状あるいは円錐状に拡がるようにサブクール水が噴射される。
【００５６】
このため、原子炉給水スパージャ１８Ｂのスパージャノズル２１Ｂから噴射される放射状あるいは円錐状のサブクール水により、小さい流れ構造の中で均一に噴出させることができる。この原子炉給水スパージャ１８Ｂは、小さい流れ構造の中でサブクール水を均一に噴出させることで、小さな流れ構造での炉水の混合を促進させることができる。
【００５７】
［第２実施形態］
図４および図５は、本発明に係る原子炉給水装置の第２実施形態を示す構成図である。
【００５８】
この実施形態に示された原子炉給水装置は、原子炉給水スパージャの構成を除いて第１実施形態に示された原子炉給水装置と異ならないので、同じ構成、作用には同一符号を付して重複する説明を省略する。
【００５９】
図４に示された原子炉給水装置は、原子炉給水スパージャ３０を弧状あるいは半円弧状のヘッダ配管３１と、このヘッダ配管３１に垂直下向きのスパージャノズル３２と原子炉の半径方向内方に斜め下向きに傾斜したスパージャノズル３３とから構成される。原子炉内側給水スパージャ３０は原子炉圧力容器１１と炉心シュラウド１２との間のダウンカマ部１７の上方に原子炉圧力容器１１の周方向に亘って複数配置される。
【００６０】
垂直下向きのスパージャノズル３２と斜め下向きのスパージャノズル３３とは組をなし、複数組のスパージャノズルが所要のピッチ間隔でヘッダ配管３１の軸方向に沿って設けられる。斜め下向きのスパージャノズル３３は、図３に示すように、垂直下向きから原子炉内側に角度θを付け、原子炉圧力容器１１の半径方向内方を向くように下り傾斜されて配設される。また、垂直下向きのスパージャノズル３２と斜め下向きのスパージャノズル３３は、ヘッダ配管３１の軸方向に交互に所要のピッチ間隔で配設される。
【００６１】
斜め下向きのスパージャノズル３３は、垂直下向きから原子炉炉心側に所定の角度θを
付けて下り傾斜するようにヘッダ配管に取り付けられる。この角度は、３０度±α度、具体的には、３０度±５度の範囲に設定される。
【００６２】
また、原子炉給水スパージャ３０の垂直下向きノズル３２および斜め下向きノズル３３のノズル内径は、３０ｍｍφ〜５０ｍｍφ、ノズル出口平均流速が１２〜１８ｍ／ｓｅｃの間で、垂直下向きノズル３２および斜め下向きノズル３３の個数が適宜設定される。斜め下向きノズル３３は、原子炉圧力容器１１の半径方向内方を向くように下り傾斜させるだけでなく、半径方向内方でかつ周方向を向くように下り傾斜させてもよい。
【００６３】
この原子炉給水スパージャ３０では、垂直下向きスパージャノズル３２のノズル出口から下方に位置するシュラウドヘッド１３の外周部までの高低差Ｈは、ノズル出口平均流速とノズル内径から設定せしめられる。
【００６４】
垂直下向きスパージャノズル３２のノズル出口からシュラウドヘッド外周部までの高低差Ｈは、例えば、
ａ）ノズル出口平均流速１２ｍ／ｓｅｃ以上、１３．５ｍ／ｓｅｃ未満では、ノズル内径の８倍の距離以下、
ｂ）ノズル出口平均流速１３．５ｍ／ｓｅｃ以上、１５ｍ／ｓｅｃ未満では、ノズル内径の９倍の距離以下、
ｃ）ノズル出口平均流速１５ｍ／ｓｅｃ以上、１６．５ｍ／ｓｅｃ未満では、ノズル内径の１０倍の距離以下、
ｄ）ノズル出口平均流速１６．５ｍ／ｓｅｃ以上、１８ｍ／ｓｅｃ未満では、ノズル内径の１１倍の距離以下、
ｅ）ノズル出口平均流速１８ｍ／ｓｅｃでは、ノズル内径の１２倍の距離以下、
となるように設定され、この高低差Ｈを保つように原子炉給水スパージャ３０が配置される。
【００６５】
次に、原子炉給水装置の作用を説明する。
【００６６】
図４および図５に示された原子炉給水装置では、原子炉給水スパージャ３０に垂直下向きのスパージャノズル３２と斜め下向きのスパージャノズル３３とを備え、原子炉給水スパージャ３０から噴出されるサブクール水（給水）を垂直下方向および原子炉の半径方向内方の斜め下方向に噴射させる。
【００６７】
原子炉給水スパージャ３０は、ダウンカマ部１７の上方に、気水分離器スタンドパイプ１４群に対向させて、気水分離器スタンドパイプ群の周囲を取り囲むように配置される。
【００６８】
そして、原子炉給水スパージャ３０から垂直下方向と原子炉内側の斜め下方向に給水（サブクール水）が噴出されるので、噴出されるサブクール水は、周囲の炉水を巻き込むようにして、気水分離器１５で気水分離された飽和水との半径方向における混合を促進させ、ダウンカマ部１７においても、半径方向において均一な温度分布のダウンカマ流となるように形成される。
【００６９】
この原子炉給水装置は、原子炉給水スパージャ３０による垂直下方向と斜め下方向へのサブクール水の噴射（噴出）により、ダウンカマ部１７の半径方向においても均一な温度分布の下降流となる。
【００７０】
この原子炉給水装置では、ダウンカマ部１７での炉水の混合が促進され、大きな構造の温度分布をもつ流れが無くなることにより、炉心入口における温度分布が均一となる。小さな構造の温度分布を持つ流れは残る可能性はあるが、原子炉周方向における何点かの温度測定の平均により誤差の小さい炉心入口平均温度の推定は可能となる。
【００７１】
また、この実施形態に示された原子炉給水装置は、炉心入口における温度分布が均一となることにより炉心燃料入口における冷却材（炉水）のエンタルピが均一となることで、各燃料バンドルの熱的余裕が均一になり燃料健全性を確保しやすくなる。
【００７２】
この原子炉給水装置においても、第１実施形態で示された作用効果と同等の作用効果を奏する。
【００７３】
［第２実施形態の第１変形例］
図６は、本発明に係る原子炉給水装置の第２実施形態における第１変形例を示す図である。
【００７４】
この変形例に示された原子炉給水装置の全体的構成は、図４に示された原子炉給水装置の構成と異ならないので、同じ構成には同一符号を付して説明を省略する。
【００７５】
図６に示された原子炉給水装置は、原子炉給水スパージャ３０Ａの構成を、図５に示された原子炉給水スパージャ３０と異にする。
【００７６】
原子炉給水スパージャ３０Ａは、弧状あるいは半円弧状のヘッダ配管３１に垂直方向下向きのスパージャノズル３２と、垂直下向きから原子炉内側に適当な角度θを付けた斜め下向きのスパージャノズル３３と、垂直下向きから原子炉外側に適当な角度θ１を付けた斜め下向きのスパージャノズル３４とを備える。原子炉内側および外側を向く斜め下向きのスパージャノズル３３，３４は、原子炉周方向に傾斜させてもよく、この傾斜は、両下向きスパージャノズル３３，３４が同じ円周方向を向くように傾斜させても、互いに反対方向を向くように傾斜させてもよい。
【００７７】
原子炉給水スパージャ３０Ａのヘッダ配管３１に設けられるスパージャノズル３５は、垂直下向きスパージャノズル３２と、原子炉内側に斜め下向きのスパージャノズル３３と、原子炉外側に斜め下向きスパージャノズル３４とが組をなすように構成され、各スパージャノズル３２，３３，３４はヘッダ配管３１の軸方向に所要のピッチ間隔で、複数組が設けられる。
【００７８】
原子炉給水スパージャ３０Ａは、原子炉圧力容器１１と炉心シュラウド１２との間に形成されるダウンカマ部１７の上方に、原子炉圧力容器１１の周方向に亘って複数設置される。原子炉給水スパージャ３０Ａのヘッダ配管３１に固定されるスパージャノズル３５は、垂直下向きのスパージャノズル３２と斜め内側下向きのスパージャノズル３３と斜め外側下向きのスパージャノズル３４とから組をなすように構成される。
【００７９】
このため、原子炉給水スパージャ３０Ａの各下向きスパージャノズル３２，３３，３４からダウンカマ部１７に向けて噴射されるサブクール水により、周囲の炉水を巻き込んでダウンカマ部１７に案内される。各下向きスパージャノズル３２，３３，３４からの噴出水は、ヘッダ配管３１から原子炉半径方向内外でかつ下向きに、半径方向に対し略均一に配分されて噴出される。
【００８０】
この原子炉給水スパージャ３０Ａは、原子炉給水スパージャ３０Ａにより、スパージャノズル３５の各下向きスパージャノズル３２，３３，３４を、垂直下向き、この垂直下向きから原子炉内側に適当な角度θを付けた方向、および垂直下向きから原子炉外側に適当な角度θ１を付けた方向に配分してサブクール水を噴射（噴出）させることにより、スパージャノズル３５から噴射させるサブクール水と気水分離器１５からの飽和水との半径方向における混合を促進させ、ダウンカマ部１７を流れるダウンカマ流（下降流）もダウンカマ部１７の半径方向において均一な温度分布の流れとなる。
【００８１】
この原子炉給水装置においては、第２実施形態に示された原子炉給水装置と同様に、ダウンカマ部１７での炉水の混合が促進され、大きな構造の温度分布をもつ流れが無くなることにより、炉心入口における温度分布が均一となる。小さな構造の温度分布を持つ流れは残る可能性はあるが、原子炉周方向における何点かの温度測定の平均により誤差の小さい炉心入口平均温度の推定は可能となる。
【００８２】
また、炉心燃料入口における冷却材（炉水）のエンタルピが均一になることで、各燃料バンドルの熱的余裕が均一になり燃料健全性を確保し易くなる。
【００８３】
［第２実施形態の第２変形例］
図７は、本発明に係る原子炉給水装置の第２実施形態における第２変形例を示す図である。
【００８４】
この変形例に示された原子炉給水装置の全体的構成は、図４に示された原子炉給水装置の構成と異ならないので、同じ構成には同一符号を付して説明を省略する。
【００８５】
図７に示された原子炉給水装置は、原子炉給水スパージャ３０Ｂの構成を、図５に示された原子炉給水スパージャ３０と異にする。
【００８６】
この原子炉給水スパージャ３０Ｂは、弧状あるいは半円弧状のヘッダ配管３１に、垂直下向きのスパージャノズル３２と、この垂直下向きから原子炉内側に適当な角度θ１およびθ２を付けた斜め下向きのスパージャノズル３３，３６とを設けたものである。斜め下向きのスパージャノズル３３，３６は原子炉内側に斜め下方に向くように多段傾斜構造に形成され、垂直下向きから原子炉内側への傾斜角度を異にするように設けられる。
【００８７】
垂直下向きのスパージャノズル３２と斜め下向きのスパージャノズル３３，３６は所要のピッチ間隔で組をなして設けられ、複数組の下向きスパージャノズル３７がヘッダ配管３１の軸方向に沿って設けられる。
【００８８】
この原子炉給水スパージャ３０Ｂは、図５および図６に示された原子炉給水スパージャと同様に、原子炉圧力容器１１と炉心シュラウド１２との間に形成されるダウンカマ部１７の上方に設置される。原子炉給水スパージャ３０Ｂのヘッダ配管３１に固定されるスパージャノズル３７は、垂直下向きのスパージャノズル３２と、原子炉内側に斜め下向きの多段式スパージャノズル３３，３６とから組をなして構成され、各下向きスパージャノズル３２，３３，３６から噴射されるサブクール水が原子炉圧力容器１１の内壁面に直接衝突することを回避している。
【００８９】
この原子炉給水装置においても、サブクール水が原子炉給水スパージャ３０Ｂの直下で、原子炉圧力容器１１の内壁面に直接接触する（当たる）のを回避することができるので、原子炉圧力容器１１の壁面のサーマルストレスを緩和することができる他、第２実施形態に示された原子炉給水装置と同等の作用効果を奏することができる。
【００９０】
図８は本発明に係る原子炉給水装置の第３実施形態を簡略的に示す構成図である。
【００９１】
従来の原子炉給水装置は、沸騰水型原子炉の原子炉圧力容器１１を周方向に４分割あるいは６分割する割合で、４基または６基の原子炉給水スパージャが原子炉圧力容器１１内で周方向に沿って設置されている。個々の原子炉給水スパージャの間には空間が形成され、原子炉給水スパージャのスパージャノズルは原子炉圧力容器１１の全周に亘って均一に配置されていない。
【００９２】
第３実施形態に係る原子炉給水装置は、原子炉給水スパージャ４０が原子炉圧力容器１１内を周方向に２分割する半円弧状のヘッダ配管４１とこのヘッダ配管４１の水平方向あるいは垂直下向きに設置された複数のスパージャノズル４３から構成される。複数のスパージャノズル４３は、所要のピッチ、例えば等ピッチに配設され、ヘッダ配管４１に固定される。
【００９３】
原子炉給水スパージャ４０を２系統に分けるのは、２系統の原子炉給水系に対応されるものであり、原子炉給水スパージャ４０のヘッダ配管４１を２つの半円に分けるのは、ガイドロッド４４との干渉を避けるためである。
【００９４】
ヘッダ配管４１に固定される複数のスパージャノズル４３の設置個数、ノズル内径は、スパージャノズル４３から噴出されるサブクール水が周方向に亘って均一な噴出となるように設定される。
【００９５】
この原子炉給水装置では、原子炉給水スパージャ４０を半円弧状あるいは半円状ヘッダ配管４１を用いたものであり、２つのヘッダ配管４１を原子炉圧力容器１１の周方向全体に配設し、ヘッダ配管４１に複数（多数）のスパージャノズル４３を原子炉周方向全体に所要のピッチで配置することにより、各スパージャノズル４３から垂直下方のダウンカマ部１７に向けて、あるいは原子炉半径方向に内方に向けて、サブクール水を噴射させることができる。
【００９６】
各スパージャノズル４３から噴出するサブクール水により気水分離器１５からの飽和水との混合を促進させることができ、ダウンカマ部１７において、均一な温度分布の流れ（下降流、ダウンカマ流）を実現することができる。
【００９７】
この原子炉給水装置においても、ダウンカマ部での炉水の混合が促進され、大きな構造の温度分布をもつ流れが無くなることにより、炉心入口における温度分布が均一となる。小さな構造の温度分布を持つ流れは残る可能性はあるが、周方向における何点かの温度測定の平均により誤差の小さい炉心入口平均温度の推定は可能となる。
【００９８】
また、炉心入口における冷却材（炉水）のエンタルピが均一となることで、各燃料バンドルの熱的余裕が均一になり燃料健全性を確保し易くなる。
【図面の簡単な説明】
【００９９】
【図１】本発明に係る原子炉給水装置の第１実施形態を簡略的に示す構成図。
【図２】図１に示された原子炉給水装置に備えられるスパージャノズルの変形例を示す図。
【図３】図１に示された原子炉給水装置に備えられるスパージャノズルの他の変形例を示す図。
【図４】本発明に係る原子炉給水装置の第２実施形態を簡略的に示す構成図。
【図５】図４に示された原子炉給水装置に備えられる原子炉給水スパージャの取付状態を示す図。
【図６】原子炉給水装置に備えられる原子炉給水スパージャの第１変形例を示す図５と同様な図。
【図７】原子炉給水装置に備えられる原子炉給水スパージャの第２変形例を示す図５と同様な図。
【図８】本発明に係る原子炉給水装置の第３実施形態を簡略的に示す構成図。
【図９】従来の沸騰水型原子炉に備えられる原子炉給水装置を示す全体的な構成図。
【図１０】図９に示された従来の原子炉給水装置の構成を簡略的に示す図。
【図１１】原子炉圧力容器内に形成される流体流れにおいて大きな構造の温度分布を示す説明図。
【符号の説明】
【０１００】
１０  自然循環型原子炉
１１  原子炉圧力容器
１２  炉心シュラウド
１３  シュラウドヘッド
１４  気水分離器スタンドパイプ
１５  気水分離器
１７  ダウンカマ部
１８，１８Ａ，１８Ｂ  原子炉給水スパージャ
２０  ヘッダ配管
２１，２１Ａ，２１Ｂ  スパージャノズル
３０，４０  原子炉給水スパージャ
３１，４１  ヘッダ配管
３２  垂直下向きスパージャノズル
３３，３４，３６  斜め下向きスパージャノズル
３５，３７  下向きスパージャノズル
４３  スパージャノズル
【図１】
0004709602.tif 000002
【図２】
0004709602.tif 000003
【図３】
0004709602.tif 000004
【図４】
0004709602.tif 000005
【図５】
0004709602.tif 000006
【図６】
0004709602.tif 000007
【図７】
0004709602.tif 000008
【図８】
0004709602.tif 000009
【図９】
0004709602.tif 000010
【図１０】
0004709602.tif 000011
【図１１】
0004709602.tif 000012